(57)【特許請求の範囲】
【請求項１】
被取付面に固定される取付体と、
前記取付体に取り付けられ且つＬＥＤユニットを搭載する装置本体と、
前記装置本体を前記取付体に固定する固定体と
を備え、
前記取付体は、取付側第１部と取付側第２部とを有し、
前記取付側第１部は、前記被取付面に対して交差する方向に延伸する取付側第１面を上面に有し、
前記取付側第２部は、前記取付側第１面に対して上下方向の下方向に間隔をおいて設けられ且つ前記被取付面に対して傾斜する取付側傾斜面を上面に有し、
前記装置本体は、本体側第１部と本体側第２部とを有し、
前記本体側第１部は、前記取付側第１部に対して前記下方向と反対側に配され且つ前記取付側第１面と平行に延伸する本体側第１面を下面に有し、
前記本体側第２部は、前記取付側第２部に対して前記下方向と反対側に配され且つ前記取付側傾斜面と平行に延伸する本体側傾斜面を下面に有するとともに前記本体側第１部が前記下方向を前記取付側第１部に近づくに従い前記取付側傾斜面に沿って前記被取付面に近づくものとされ、
前記固定体は、前記本体側第１部が前記下方向に向かって前記取付側第１部に近づいた状態で前記本体側第１部と前記取付側第１部とを固定し、
前記取付体は、上下方向に延伸する板状のベース部と、前記ベース部の上端から当該ベース部の鉛直方向に延伸する鉛直片と、前記ベース部の下部から鉛直片に向かって延伸する取付側傾斜部とを有し、
前記装置本体は、前記被取付面に対して間隔をおいて平行に配され且つ前記ＬＥＤユニットが搭載される搭載壁と、前記搭載壁の周縁から前記被取付面側に延出する周壁と、前記搭載壁から前記被取付面側に向かって傾斜状に延伸する本体側傾斜部を有し、
前記鉛直片が前記取付側第１部であり、前記取付側傾斜部が前記取付側第２部であり、前記本体側第１部は前記周壁における上壁であり、前記本体側第２部は前記本体側傾斜部である
照明装置。
【請求項２】
前記取付体は緩衝材を介して前記被取付面に固定され、
前記取付体の前記鉛直片はねじ孔を有し、
前記装置本体は前記上壁に貫通孔を有し、
前記固定体はねじ体であり、
前記貫通孔を挿通し且つ前記ねじ孔に螺合する前記ねじ体の螺合方向の回転により、前記本体側傾斜部が前記取付側傾斜部に沿って前記被取付面に近づき、前記周壁の前記被取付面側の端面が前記緩衝材を押圧する
請求項１に記載の照明装置。
【発明の詳細な説明】
【技術分野】
【０００１】
本発明は、被取付面に取り付けられて使用される照明装置に関するものである。
【背景技術】
【０００２】
玄関周辺の外壁（被取付面である。）に取り付けられ、玄関周辺を照らす照明装置がある（例えば、特許文献１）。
特許文献１に記載の照明装置は、壁取付け用の取付板と、取付板に取り付けられる装置本体と、装置本体に取り付けられるカバー体とを備える。
照明装置の壁への取り付けは、まず、取付板を壁に固定した後に装置本体を取付板にねじ体を利用して固定し、固定された装置本体にカバーホルダを取り付け、最後にカバー体をねじ体によりカバーホルダに固定している。
【先行技術文献】
【特許文献】
【０００３】
【特許文献１】特許５０７８０９３号公報
【発明の概要】
【発明が解決しようとする課題】
【０００４】
上記構成の照明装置では、被取付面である壁への取り付けに手間が掛かるという問題がある。
本発明が解決しようとする課題は、被取付面に容易に取り付けることができる照明装置を提供することにある。
【課題を解決するための手段】
【０００５】
本発明に係る照明装置は、被取付面に固定される取付体と、前記取付体に取り付けられ且つＬＥＤユニットを搭載する装置本体と、前記装置本体を前記取付体に固定する固定体とを備え、前記取付体は、取付側第１部と取付側第２部とを有し、前記取付側第１部は、前記被取付面に対して交差する方向に延伸する取付側第１面を有し、前記取付側第２部は、前記取付側第１面に対して上下方向の第１の方向に間隔をおいて設けられ且つ前記被取付面に対して傾斜する取付側傾斜面を有し、前記装置本体は、本体側第１部と本体側第２部とを有し、前記本体側第１部は、前記取付側第１部に対して前記第１の方向と反対側に配され且つ前記取付側第１面と平行に延伸する本体側第１面を有し、前記本体側第２部は、前記取付側第２部に対して前記第１の方向と反対側に配され且つ前記取付側傾斜面と平行に延伸する本体側傾斜面を有するとともに前記本体側第１部が前記第１の方向を前記取付側第１部に近づくに従い前記取付側傾斜面に沿って前記被取付面に近づくものとされ、前記固定体は、前記本体側第１部が前記第１の方向に向かって前記取付側第１部に近づいた状態で前記本体側第１部と前記取付側第１部とを固定する。
【発明の効果】
【０００６】
本発明によれば、本体側第２部を取付側第２部に係合させて、本体側第１部と取付側第１部とを固定体で固定することで、装置本体を取付体に取り付けられる。このため被取付面への取り付けを簡単に行うことができる。
【図面の簡単な説明】
【０００７】
【図１】実施形態に係る照明装置の斜視図である。
【図２】実施形態に係る照明装置の分解斜視図である。
【図３】実施形態に係る照明装置の縦断面図である。
【図４】実施形態に係る取付体の図であり、（ａ）は前方から見た図であり、（ｂ）は側方から見た図である。
【図５】実施形態に係るカバー体付の装置本体を後方から見た図である。
【図６】実施形態に係る装置本体の分解斜視図である。
【図７】実施形態に係る本体ケースの図であり、（ａ）は前方から見た図であり、（ｂ）は後方から見た図である。
【図８】実施形態に係るＬＥＤユニットを前方から見た図である。
【図９】実施形態に係るカバー体を後方から見た斜視図である。
【図１０】実施形態に係るカバー体の横断面図である。
【図１１】実施形態に係る装置本体の取付体への取り付けを説明する図である。
【図１２】実施形態に係る排水機構を説明する図である。
【図１３】実施形態に係る照明装置の光出射路を示す図である。
【発明を実施するための形態】
【０００８】
本発明の一態様に係る照明装置は、被取付面に固定される取付体と、前記取付体に取り付けられ且つＬＥＤユニットを搭載する装置本体と、前記装置本体を前記取付体に固定する固定体とを備え、前記取付体は、取付側第１部と取付側第２部とを有し、前記取付側第１部は、前記被取付面に対して交差する方向に延伸する取付側第１面を有し、前記取付側第２部は、前記取付側第１面に対して上下方向の第１の方向に間隔をおいて設けられ且つ前記被取付面に対して傾斜する取付側傾斜面を有し、前記装置本体は、本体側第１部と本体側第２部とを有し、前記本体側第１部は、前記取付側第１部に対して前記第１の方向と反対側に配され且つ前記取付側第１面と平行に延伸する本体側第１面を有し、前記本体側第２部は、前記取付側第２部に対して前記第１の方向と反対側に配され且つ前記取付側傾斜面と平行に延伸する本体側傾斜面を有するとともに前記本体側第１部が前記第１の方向を前記取付側第１部に近づくに従い前記取付側傾斜面に沿って前記被取付面に近づくものとされ、前記固定体は、前記本体側第１部が前記第１の方向に向かって前記取付側第１部に近づいた状態で前記本体側第１部と前記取付側第１部とを固定する。
別態様に係る照明装置において、前記第１の方向は下方向であり、前記取付側第１部は前記取付側第１面を上面に有し、前記本体側第１部は前記本体側第１面を下面に有し、前記取付側第２部は前記取付側傾斜面を上面に有し、前記本体側第２部は前記本体側傾斜面を下面に有している。これにより、固定体が装置本体の上部側に位置することとなり、固定体が見えに難くでき、意匠性を高めることができる。
別態様に係る照明装置において、前記取付体は、上下方向に延伸する板状のベース部と、前記ベース部の上端から当該ベース部の鉛直方向に延伸する鉛直片と、前記ベース部の下部から鉛直片に向かって延伸する取付側傾斜部とを有し、前記装置本体は、前記被取付面に対して間隔をおいて平行に配され且つ前記ＬＥＤユニットが搭載される搭載壁と、前記搭載壁の周縁から前記被取付面側に延出する周壁と、前記搭載壁から前記被取付面側に向かって傾斜状に延伸する本体側傾斜部を有し、前記鉛直片が前記取付側第１部であり、前記取付側傾斜部が前記取付側第２部であり、前記本体側第１部は前記周壁における上壁であり、前記本体側第２部は前記本体側傾斜部である。これにより、取付体を簡単な構造とできる。
別態様に係る照明装置において、前記取付体は緩衝材を介して前記被取付面に固定され、前記取付体の前記鉛直片はねじ孔を有し、前記装置本体は前記上壁に貫通孔を有し、前記固定体はねじ体であり、前記貫通孔を挿通し且つ前記ねじ孔に螺合する前記ねじ体の螺合方向の回転により、前記本体側傾斜部が前記取付側傾斜部に沿って前記被取付面に近づき、前記周壁の前記被取付面側の端面が前記緩衝材を押圧する。これにより、装置本体と取付体との間に雨水等が浸入するのを抑制できる。
＜実施形態＞
【０００９】
１．全体構成
照明装置１について図１〜図３を用いて説明する。
照明装置１は、装置の設置面である被取付面に固定される取付体３と、取付体３に取り付けられ且つＬＥＤユニット５を搭載する装置本体７と、装置本体７を取付体３に固定する固定体４とを備える他、装置本体７に装着されてＬＥＤユニット５を覆うカバー体９を備える。なお、装置本体７にカバー体９が装着された状態で装置本体７を取付体３に取り付けることができる。
照明装置１は屋外で使用される。このため、取付体３は緩衝材２を介して被取付面に固定される。ここでの被取付面の一例として垂直面である。
ここでＬＥＤユニット５から発生される光の出射方向を前方とし、被取付面が存在する側を後方とし、この方向を前後方向とする。被取付面を背にして前方を見たときに、左手の存在する側を左側、右手の存在する側を右側とし、この方向を左右方向とする。前後方向と左右方向とに直交する方向を上下方向とする。
以下、各構成について説明する。
【００１０】
２．緩衝材
図２を用いて説明する。
緩衝材２は上下に長い矩形板状をしている。緩衝材２は例えばゴムやスポンジ等で構成されている。緩衝材２は貫通孔１１，１３を有する。貫通孔１１は被取付面から導出された電源ケーブルを通すためのものである。貫通孔１３は取付体３を被取付面に固定するための固定具を通すためのものである。一例としての固定具はスタッドボルトである。貫通孔１３は上下方向に間隔をおいて少なくとも２個以上設けられている。
【００１１】
３．取付体
図２及び図４を用いて説明する。
取付体３は上下に長い矩形状をしている。取付体３は金属板が利用されている。取付体３は、上下方向に（被取付面と平行に）延伸する板状のベース部２１と、ベース部２１の上端から屈曲してベース部２１の鉛直方向（前方）に延伸する鉛直片２３と、ベース部２１の下部から鉛直片２３に向かって延伸する取付側傾斜片２５とを有する。
【００１２】
（１）ベース部
主に図４を用いて説明する。
ベース部２１は、縦長の矩形状をし、欠け部２１ａを上端部の左右両側端に有している。ベース部２１は緩衝材２の貫通孔１１，１３（図２及び図３参照）に対応して貫通孔２７，２９を有している。なお、貫通孔２７は電源ケーブル用であり、貫通孔２９は被取付面への固定具用である。なお、貫通孔２７には防水用のパッキン２８が嵌められている。
ベース部２１は上下方向に延伸する縦リブ３１を左右方向に間隔をおいて複数本（ここでは４本である。）有している。ベース部２１は下部側に開口３３を有している。開口３３を形成する前に当該開口部分に存在していた部位は後述の取付側傾斜片２５に利用されている。
【００１３】
（２）鉛直片
主に図４と図５を用いて説明する。
鉛直片２３には装置本体７の本体ケース５１の後上壁６５ａが固定体４により固定される。固定は、鉛直片２３の上面が後上壁６５ａの下面に対向する状態で行われる。固定体４は例えばねじ体が利用され、鉛直片２３は左右方向及び前後方向の略中央にねじ孔３４を有している。なお、固定体４の例であるねじ体はねじ孔３４に螺合（進行）していくと、装置本体７が取付体３に対して下降していく。
【００１４】
（３）取付側傾斜片
主に図４を用いて説明する。
取付側傾斜片２５は被取付面に対して傾斜する傾斜面３５を上面に有する取付側傾斜部３７を有している。取付側傾斜片２５はベース部２１の開口３３の下端から前方へと水平に延伸する後水平部３９を有し、後水平部３９の前端から取付側傾斜部３７が延伸する。取付側傾斜片２５は取付側傾斜部３７の前端から前方へと水平に延伸する前水平部４１を有している。
取付側傾斜片２５は前水平部４１の前端から下方へ屈曲する下屈曲部４３を有している。これにより装置本体７の取付体３への取り付けを安全に行える。
【００１５】
（４）その他
主に図４を用いて説明する。
固定体４は左右方向の端縁に前方に張り出す前鍔部４５を有している。これにより、取付体３に対する装置本体７の左右方向のずれを規制することができる。ここでは前鍔部４５は上左右端の上下方向のすべてに亘って設けられているが、一部でもよい。
【００１６】
４．装置本体
装置本体７の概略について図６を用いて説明する。
装置本体７は、本体ケース５１、ＬＥＤユニット５、回路ユニット５３、固定具５５（図５参照）を有している。照明装置１は、装置周辺の明るさや人の有無を感知して点灯・消灯する機能を有している。このため、装置本体７は、センサーユニット５７も有している。なお、センサーユニット５７を有しなくてもよい。装置本体７は、電源ケーブルが接続される端子ユニット５９を有している。
【００１７】
（１）本体ケース
主に図５と図６を用いて説明する。
本体ケース５１は前方から見たときには上下方向に長い矩形状をしている。本体ケース５１は、縦長の矩形板状の搭載壁６１と、搭載壁６１の外周縁から前方に矩形筒状に延伸する前周壁６３と、搭載壁６１の外周縁から後方に矩形筒状に延伸する後周壁６５とを有する。搭載壁は、被取付面と平行であり、ここでは垂直な状態で設けられている。
前周壁６３と後周壁６５とを合わせて周壁６４とする。また、後周壁６５のうち、上側に位置する部分を後上壁６５ａとし、下側に位置する部分を後下壁６５ｂとし、左右両側にそれぞれ位置する部分を後側壁６５ｃ，６５ｄとする。
【００１８】
（１−１）搭載壁前側
主に図７の（ａ）を用いて説明する。
本体ケース５１の搭載壁６１は、ＬＥＤユニット５を搭載するための搭載部６７と、搭載部６７の外側に位置し且つ搭載部６７よりも後方に位置する周辺部６９とを前面に有している。
搭載部６７は上下方向に長い矩形状をしている。搭載部６７には貫通孔７１、ねじ孔７３や突起部７５が設けられている。貫通孔７１はＬＥＤユニット５と接続される出力ケーブルを通すためのものである。貫通孔７１には図３に示すようにパッキン７２が嵌められる。ねじ孔７３はＬＥＤユニット５を搭載部６７に固定するためのものである。突起部７５はＬＥＤユニット５の位置決め用であり、突起部７５は図８に示すように実装基板１２３の貫通孔１２７と嵌合する。
【００１９】
周辺部６９はカバー体９が装着される装着部でもある。周辺部６９は貫通孔７７を複数個有する。この貫通孔７７は搭載壁６１の後側からねじ体７８を挿通させるためのものである（図２及び図１２参照）。ねじ体７８はカバー体９を装置本体７に装着するためのものである。貫通孔７７は上下方向に延伸する部分に上下方向に間隔をおいて複数個ある。
搭載壁６１は前方に突出する突起部７９を搭載部６７と周辺部６９との境界領域に沿って全周に有している。突起部７９の前端は前周壁６３の前端よりも後方に位置している。搭載壁６１は搭載部６７と周辺部６９との境界領域に後方へ凹入する溝部８０を境界に沿って全周に有している。溝部８０には図６に示すパッキン８２が挿入される。
【００２０】
（１−２）搭載壁後側
図５、図６及び図７の（ｂ）を用いて説明する。
搭載壁６１は後方に延伸する一対の内側壁８１を後面に有している。一対の内側壁８１は上下方向に延伸している。より具体的には一対の内側壁８１は後方から装置本体７を見たときに回路ユニット５３の両側を延伸する。なお、図５では回路ユニット５３は封止樹脂８４に覆われている。
一対の内側壁８１は後周壁６５を構成する一対の後側壁６５ｃ，６５ｄ（上下方向に延伸する壁である。）に対して内側に間隔をおいて且つ一対の後側壁６５ｃ，６５ｄと平行に設けられている。一対の内側壁８１は搭載壁６１の前面側に設けられている溝部８０の後側に位置する。
【００２１】
一対の内側壁８１の上端はコ字状リブ８３を介して後周壁６５を構成する後上壁６５ａに接続する。一対の内側壁８１の下端は連結壁を介して一対の後側壁６５ｃ，６５ｄに接続する。連結壁は内側壁８１の下端から下方に移るに従って左右方向の外側の後側壁６５ｃ，６５ｄに近づくように（外拡がり状に）傾斜する傾斜壁８５である。傾斜壁８５は搭載壁６１の後面に設けられ、前後方向を後方に移るに従って下方に移るように（後下がり状に）傾斜している。
一対の内側壁８１及び一対の傾斜壁８５の後端は、前後方向において、一対の後周壁６５の後端と同じ位置にある。一対の後側壁６５ｃ，６５ｄは傾斜壁８５との連結部分に対応して凹部８７を有している。換言すると、凹部８７の下端が傾斜壁８５の後側壁６５ｃ，６５ｄに近い端部の上面と一致している。
これにより、装置本体７の一対の後側壁６５ｃ，６５ｄと一対の内側壁８１との間に溜まった雨水等が後側壁６５ｃ，６５ｄの内面及び内側壁８１の外面に沿って流下して凹部８７から流出させることができる。凹部８７の深さ（後側壁における凹部を除く部分の後端を基準している）は２［ｍｍ］〜４［ｍｍ］の範囲内である。
【００２２】
搭載壁６１は、内側壁８１の外側を後側壁６５ｃ，６５ｄと左右方向に連結する一対の外連結壁８９を上下方向に複数組有し、一対の外連結壁８９の間に貫通孔７７を有している。貫通孔７７はカバー体９を装着するためのねじ体７８用である。
搭載壁６１は一対の内側壁８１を左右方向に連結する内連結壁９１を有する。内連結壁９１は上下方向に間隔をおいて一対ある。一対の内連結壁９１の間には貫通孔７１が存在する。一対の内連結壁９１と一対の内側壁８１とで囲まれた領域は回路ユニット５３が配される領域である。搭載壁６１の前面であって貫通孔７１に最も近い部位のねじ孔７３は後面から突出するボス９３を利用して設けられ、このボス９３が回路ユニット５３の回路基板１３５の貫通孔１４１と嵌合する（図６参照）。
【００２３】
一対の内連結壁９１のうち、上側の内連結壁９１は傾斜部９１ａを有している。傾斜部９１ａは左右方向の一方の端部に設けられ、回路ユニット５３の配置領域へと入り込むように傾斜する。
一対の内連結壁９１のうち、下側の内連結壁９１は欠け部９５を有している。欠け部９５は後端部であって左右方向に間隔をおいて部位に合計２個ある。２つの欠け部９５にはパッキン９６が配される（図５参照）。一方の欠け部９５は端子ユニット５９と回路ユニット５３とを接続する入力ケーブル（図示省略）が配され、他方の欠け部９５には回路ユニット５３とセンサーユニット５７とを接続する信号ケーブル（図示省力）が配される。
【００２４】
搭載壁６１は、Ｈ字状に突出する第１突出部９７と、第１突出部９７を囲繞するように矩形筒状に突出する第２突出部９９とを後面に有している。第２突出部９９は第１突出部９７よりも少し後方に突出している。第１突出部９７及び第２突出部９９は端子ユニット５９を固定する固定手段を構成する。第１突出部９７は端子ユニット５９を搭載壁６１から離した状態で支持する。搭載壁６１の前面の突起部７５（図７の（ａ）参照）を利用して後面から螺合できるねじ孔１０１が設けられている。
【００２５】
搭載壁６１は＋型状に突出する＋型状突起部１０３を２個有している。２個の＋型状突起部１０３は搭載壁６１の後面に左右方向に隣接して設けられている。＋型状突起部１０３のクロス部分にはボス部１０５が形成され、中心部分にねじ孔１０７が設けられている。ねじ孔１０７には固定具５５を固定するためのねじ体１６０が螺合する。なお、一対の＋型状突起部１０３、ボス部１０５及びねじ孔１０７は固定具５５を固定する固定手段を構成する。
搭載壁６１は一対の傾斜壁８５の下方にボスねじ１０９を有している。ボスねじ１０９は左右の両側に合計２個ある。搭載壁６１は２個のボスねじ１０９の間に上部の一部が開口するコ字状突起部１１１を有している。コ字状突起部１１１はセンサーユニット５７を搭載壁６１と間隔をおいて支持するためのものである。
【００２６】
（１−３）後周壁
図５及び図７の（ｂ）を用いて説明する。
後周壁６５の後上壁６５ａの後端側であって中央部分に上方へ湾曲する上湾曲部１１３を有し、当該上湾曲部１１３に固定体４用の貫通孔１１５を有している（図６参照）。
後周壁６５の後下壁６５ｂは下方へ延伸する下延伸部１１７を有している。下延伸部１１７は後下壁６５ｂの左右両端から左右方向の内側に入った部位から下方へ延伸している。下延伸部１１７は下方から見ると後方が開口するＵ字状に延伸する。下延伸部１１７にはセンサーユニット５７のセンサー１６２が配される（図３参照）。これによりセンサー１６２を本体ケース５１の外部に露出させつつ保護する（図３参照）。
後周壁６５の後下壁６５ｂは、搭載壁６１から後方に離れるに従って下降するように傾斜している。後下壁６５ｂは左右方向における下延伸部１１７の外側に欠け部１１９を有している。欠け部１１９は後下壁６５ｂの後端から前方へと延伸する。これにより、本体ケース５１の搭載壁６１の後側に入った雨水を外部へ排出することができる。
【００２７】
（２）ＬＥＤユニット
図８を用いて説明する。
ＬＥＤユニット５は、光源である複数個のＬＥＤ１２１と、複数個のＬＥＤ１２１が実装される実装基板１２３とを有する。
複数個のＬＥＤ１２１は上下方向に複数列（ここでは２列である。）で実装されている。各列においてＬＥＤ１２１は上下方向に等間隔で配されている。各列の間隔は、上下方向に配されている間隔と同じである。つまり、複数個のＬＥＤ１２１は、ＬＥＤ１２１の中心を基準にして上下方向及び左右方向に等間隔で配されている。
【００２８】
実装基板１２３は縦長の矩形状をしている。実装基板１２３は複数個のＬＥＤ１２１を所定の形態で電気的に接続する配線パターンが設けられている。実装基板１２３は接続ケーブル（図示省略）と接続するための一対のコネクタ１２５を有している。接続ケーブルは実装基板１２３と回路基板１３５（図６参照）とを接続する。一対のコネクタ１２５は接続ケーブル用の貫通孔７１（図６参照）の近くに設けられている。ここでは、貫通孔７１が本体ケース５１の上端側に設けられており、コネクタ１２５が実装基板１２３の上端部に近い位置に設けられている。
【００２９】
２個のコネクタ１２５は、実装基板１２３の左右方向の中央を通り上下方向に延伸する仮想線分に対して左右対称の位置に設けられている。２個のコネクタ１２５は仮想線分に対して傾斜する状態で設けられている。傾斜は、仮想線上を上端に向かうに従ってコネクタ１２５の間隔が狭くなるように構成されている。これにより、接続ケーブルとコネクタ１２５との接続が容易に行える。また、接続ケーブルがＬＥＤ１２１からの光を遮るのを抑制できる。
実装基板１２３は、貫通孔１２７，１２９や欠け部１３１を有している。貫通孔１２７は、図６に示す突起部７５と嵌合する。貫通孔１２９は搭載壁６１のねじ孔７３に螺合するねじ体１２８（図２参照）が挿通するためのものである。欠け部１３１は貫通孔７１を塞がないようにするためのものである。なお、前周壁６３における上下に延伸する前側壁の前後方向の高さはＬＥＤ１２１から１／２照射角で照射される光を妨げないように設定されている。
【００３０】
（３）回路ユニット
図６を用いて説明する。
回路ユニット５３は、端子ユニット５９から受電した交流電力（商業電力）をＬＥＤ１２１点灯用の直流電力に変換する。回路ユニット５３は回路基板１３５と回路部品１３７とを有する。なお、図６では便宜上回路部品１３７をまとめて直方状で表している。
回路基板１３５は、貫通孔１４１，１４３や欠け部１４５，１４７を有している。貫通孔１４１は、図７の（ｂ）に示すボス９３と嵌合する。貫通孔１４３は同図に示す搭載壁６１の後面のボス９０に形成されたねじ孔９２に螺合するねじ体（図示省略）が挿通するためのものである。欠け部１４５は本体ケース５１の上側の内連結壁９１の隅に形成されている傾斜部９１ａに対応し、回路基板１３５の配置ミスをなくすためのものである。
【００３１】
（４）固定具
図３、図５及び図６を用いて説明する。
固定具５５は金属製の薄板を湾曲してなる。固定具５５は、図３に示す取付体３の傾斜面３５と平行な傾斜面１５１を下面に有する本体側傾斜部１５３を有する。固定具５５は、本体ケース５１に固定される固定部１５５と、固定部１５５の上下方向の一方端（ここでは下端である。）から後方へ水平に延伸する水平部１５７を有している。
本体側傾斜部１５３は水平部１５７の後端から下方向に移るに従って後方へと移るように傾斜する。この傾斜角度は取付側傾斜部３７の傾斜面３５の傾斜角度と略一致する。
【００３２】
固定具５５は本体側傾斜部１５３の後端から上方へ屈曲する上屈曲部１５９を有している。固定部１５５は左右方向に長い矩形状をし、左右方向に間隔をおいて２個の貫通孔１６１を有している（図６参照）。
固定具５５は、後方から固定部１５５の貫通孔１６１を挿通するねじ体１６０が本体ケース５１の搭載壁６１のねじ孔１０７（図７の（ｂ）参照）に螺合することで、本体ケース５１に固定される。装置本体７が取付体３に取り付ける際、本体側傾斜部１５３が取付側傾斜部３７に係合する。なお、取付については後述する。
【００３３】
（５）センサーユニット
図３、図５及び図６を用いて説明する。
センサーユニット５７は、照度センサーと人感センサーとを備え、周辺の明るさや人の有無を感知する。センサーユニット５７は、センサー１６２、センサー１６２を覆うセンサーカバー１６３と、センサー１６２から信号を受信する受信部１６４と、受信部１６４を収容する筐体１６５とを備える。筐体１６５は貫通孔１６６を有する張出部１６８を有し、当該貫通孔１６６を挿通するねじ体１６７が本体ケース５１のボスねじ１０９（図７の（ｂ））に螺合することで、センサーユニット５７が本体ケース５１に取り付けられる。
【００３４】
（６）端子ユニット
図３、図５、図６及び図７（ａ）を用いて説明する。
端子ユニット５９は、端子台１７１と端子台１７１を覆う端子カバー１７３とを有する。端子台１７１及び端子カバー１７３は貫通孔１７５を有し、当該貫通孔１７５を挿通するねじ体１７７が本体ケース５１のねじ孔１０１（図７の（ｂ））に螺合することで、端子ユニット５９が本体ケース５１に取り付けられる。
【００３５】
５．カバー体
図２を用いて説明する。
カバー体９はＬＥＤユニット５からの光を外部へと出射する機能を有する。カバー体９は透光性を有する樹脂により構成されている。カバー体９は板状の板状部２０１と、板状部２０１の後面から筒状に延伸する筒状部２０３と、筒状部２０３の外周部に設けられた装着部２０５とを有する。なお、板状部は光出射部でもある。
【００３６】
（１）光出射部
図２及び図１０を用いて説明する。
板状部２０１は前方から見たときに上下方向に長い矩形状をし、装置本体７を前方から見た矩形状に近い形状をしている。板状部２０１を前方から見たときの矩形状の大きさは、装置本体７を前方から見たときの矩形状よりも大きい。
板状部２０１は、前方から見たときに、中央部分に位置する矩形状領域２０７と、矩形状領域２０７の外側に位置し且つ矩形状領域２０７を囲繞する環状領域２０９とを有する。矩形状領域２０７の外周縁は、カバー体９を前方から見たときに、筒状部２０３の内周縁と一致する。環状領域２０９の内周縁は、カバー体９を前方から見たときに、筒状部２０３の内周縁と一致する。
【００３７】
特に図１０を用いて説明する。
矩形状領域２０７の前面２０７ａ及び後面２０７ｂは例えばシボを有している。シボは例えばシボ加工を施した金型を用いて射出成形等することで得られる。なお、カバー体９を構成する樹脂には例えばシリコーン等の拡散剤が添加されている。
矩形状領域２０７の前面２０７ａの凸凹状態は、後面２０７ｂの凸凹状態よりも小さく構成されている。換言すると、矩形状領域２０７の後面２０７ｂの面粗さは前面２０７ａの面粗さよりも大きく（粗く）なっている。拡散度合いの観点からは、後面２０７ｂの方が前面２０７ａよりも拡散性が高い。これにより、ＬＥＤユニット５からの光を後面２０７ｂで拡散させ、前面２０７ａから均一な光を出射することができる。
【００３８】
環状領域２０９の前面２０９ａは凹凸面となっている。凹凸は、環状領域２０９の環状を構成する周方向と直交する断面（例えば図１０である。）において三角波状の凹凸を繰り返している。凹凸は、断面において矩形状領域２０７の前面２０７ａを基準にすると、三角形（二等辺三角形）状に内側から外側に向かって環状で繰り返しながら連続して突出している。環状領域２０９の後面２０９ｂはシボのない面又は凹凸の小さいシボを有する面となっている。
【００３９】
（２）筒状部
図９及び図１０を用いて説明する。
筒状部２０３は、カバー体９を前方から見たとき（図２参照）に、ＬＥＤユニット５を搭載する搭載部６７を囲繞するような矩形状をしている。筒状部２０３の内面２０３ａは凹凸状をしている。内面２０３ａの凹凸は前後方向に延伸し、周方向に連続して設けられている。凹凸は板状部２０１の環状領域２０９の前面２０９ａに設けられた凹凸と同じ三角波状をしている。凹凸のサイズは筒状部２０３の内面の凹凸と同じである。なお、照明装置１から出射される光の配光特性に合わせて凹凸の形状やサイズを適宜変更してもよい。
筒状部２０３の外面２０３ｂはシボを有している。シボの大きさは、矩形状領域２０７の前面２０７ａのシボの大きさと同じ程度である。内面２０３ａの後端は、本体ケース５１の突起部７９と溝部８０との段差に嵌合するように段差２０４となっている。
【００４０】
（３）装着部
装着部２０５は、図２に示すように、本体ケース５１の前周壁６３の開口を塞ぐ状態で、本体ケース５１の周辺部６９に取り付けられる。
装着部２０５は、図９及び図１０に示すように、周辺部６９に前側から当接する後側当接部分２１１と、後側当接部分２１１が周辺部６９に当接すると本体ケース５１の前周壁６３の前端に当接する前側当接部分２１３とを有している。
【００４１】
（３−１）後側当接部分
図９及び図１０を用いて説明する。
後側当接部分２１１は、本体ケース５１の溝部８０（図７の（ａ）参照）の外周に沿って当接する環状当接領域２１５と、環状当接領域２１５における上下方向に延伸する領域において左右方向の外側に張出して当接する張出当接領域２１７とを有している。
環状当接領域２１５は筒状部２０３の外周面から外方に向かって張り出すように設けられている（図２も参照）。張出当接領域２１７は後面側が開口するねじ孔２１９を有している。このねじ孔２１９には、装置本体７の搭載壁６１の後側から貫通孔７７（図７の（ａ）参照）を挿通するねじ体７８（図２参照）が螺合する。これによりカバー体９が装置本体７に装着される。
装着部２０５は、環状当接領域２１５の内周側から後方へ突出する環状突起部２２０を有している。環状突起部２２０は本体ケース５１の溝部８０（図７の（ａ）参照）に挿入する。溝部８０にはパッキン８２が嵌め込まれており、これによりカバー体９は高い気密性を維持して装置本体７に装着される。
【００４２】
（３−２）前側当接部分
図９及び図１０を用いて説明する。
前側当接部分２１３は、筒状部２０３における後側当接部分２１１に対して前方に間隔をおいて設けられた鍔部２２１の後面の外周縁に設けられている。ここでは、後面の外周縁は段差になっており、装置本体７の前周壁６３の前端と嵌合する。鍔部２２１は筒状部２０３の外周に設けられた複数の横リブ２２５により補強されている。
鍔部２２１の前面２２１ａはシボのない面となっている。鍔部２２１の後面２２１ｂであって筒状部２０３の左右両側に位置する部分に凹凸が設けられている。ここでの凹凸は左右方向に延伸し、上下方向に連続して設けられている。凹凸は、矩形状領域２０７における環状領域２０９の前面２０９ａの凹凸と同じ三角波状をしている。
【００４３】
６．装置本体の取付体への取付
図１１の（ａ）及び同図の（ｂ）を用いて説明する。
まず、図１１の（ａ）に示すように、取付体３が玄関周辺の外壁（被取付面）に緩衝材２を介して固定されている。カバー体９の装着された装置本体（本項目では、カバー体付の装置本体を、単に、「装置本体」とする。）７を準備し、緩衝材２及び取付体３の貫通孔１１，２７から導出された図示省略の電源ケーブルを端子ユニット５９に接続する。
その後、装置本体７を取付体３に対して下部側が近づくように傾斜させて、装置本体７の固定具５５を取付体３の取付側傾斜片２５の上面に係合させる。そして、装置本体７の上部側を取付体３に近づけて、装置本体７の後周壁６５の後上壁６５ａを取付体３の鉛直片２３と重ね、装置本体７の後上壁６５ａの貫通孔１１５から固定体４を挿通させて取付体３のねじ孔３４に螺合させる。この状態が図１１の（ｂ）である。なお、装置本体７の貫通孔１１５と取付体３のねじ孔３４との位置合わせは、装置本体７を少し取付体３側に押し込んだ状態で行われる。
【００４４】
次に、固定体４が浸入する方向に固定体４を螺合させていくと、図１１の（ｂ）に示す矢印Ａの方に下降する。この際、装置本体７の固定具５５の傾斜面１５１と取付体３の取付側傾斜片２５の傾斜面３５とが略平行に傾斜しているため、矢印Ｂの方向に移動する。これにより、装置本体７が矢印Ｃで示すように被取付面側に移動する。
緩衝材２は、左右方向の幅は装置本体７の一対の内側壁８１より少し大きく、上端は装置本体７の後上壁６５ａから少し張り出すように構成されている。これは、照明装置１を被取付面に取り付けた状態を装置本体７の側方や下方から見たときに、緩衝材２が見えないようにして意匠性を高めるためである。
上記の固定体４の螺合により装置本体７が被取付面に近づくことで、装置本体７の後上壁６５ａ及び一対の内側壁８１の後端面が緩衝材２を押圧する。これにより装置本体７は緩衝材２に対して圧接状態で取付体３に取り付けられる。
このようにカバー体９を装着した装置本体７の取付体３への取付固定は、装置本体７の固定具５５と取付体３の取付側傾斜片２５との係合及び固定体４により螺合により行われるため、取付け作業が少なくなる。
【００４５】
７．雨水対策
（１）前側部分
カバー体９と装置本体７の前周壁６３との結合は、図３、図９等に示すように段差２０４を利用している。このため、結合部分からの雨水浸入を抑制できる。カバー体９における装着部２０５の環状当接領域２１５は、図９や図１０に示すように筒状部２０３の外周面（２０３ｂ）ら外方に張り出しているため、カバー体９の内部に侵入した雨水が環状当接領域２１５を超えて本体ケース５１の搭載壁６１側に伝わるのを抑制できる。
カバー体９の装着部２０５の後端面の環状突起部２２０が、図３に示すように、パッキン８２が挿入されている本体ケース５１の溝部８０に挿入している。これによってもシール性を向上させている。
装置本体７におけるＬＥＤユニット５を搭載する搭載部６７は、図７の（ａ）に示すようにパッキン８２が配される溝部８０の内側の突起部７９により全周に亘って囲まれているため、搭載部６７へ雨水が伝わるのを抑制できる。
【００４６】
（２）後側部分
本体ケース５１は、図１１の（ｂ）に示すように、後上壁６５ａ及び一対の内側壁８１の後端面が緩衝材２を押圧する状態で取付体３に取り付けられる。このため、本体ケース５１の内部に雨水が浸入するのを抑制できる。
仮に雨水が本体ケース５１の後ろ側に浸入したとしても、本体ケース５１は排水機構を有している。つまり、装置本体７は本体ケース５１に浸入した雨水を本体ケース５１の外部へと排出する排出路を回路ユニット５３の外側であって後周壁６５の内側に有している。
【００４７】
具体的には排水路を２種類有している。
１つめ排水路Ｄ，Ｅは、一対の内側壁８１の外面と、一対の後側壁６５ｃ，６５ｄの内面と、傾斜壁８５の上面と凹部８７とから構成される。
２つ目の排水路Ｆは、後下壁６５ｂに連結している一対の後側壁６５ｃ，６５ｄの内面、搭載壁６１の後面、後下壁６５ｂの上面及び欠け部１１９により構成されている。
【００４８】
以下、排水路Ｄ，Ｅ，Ｆについて図１２を用いて説明する。
まず、内側壁８１と後周壁６５を構成する左右の後側壁６５ｃ，６５ｄとの間に溜まった雨水は、後側壁６５ｃ，６５ｄの内面に沿って流下して後側壁６５ｃ，６５ｄの凹部８７から外部へと排出されたり（図中の「Ｄ」の経路である。）、内側壁８１の外面及び傾斜壁８５の上面に沿って流下して排出されたり（図中の「Ｅ」の経路である。）する。なお、凹部８７の代わりに、下端がちょうど傾斜壁８５の上面に位置する貫通孔を利用することもできる。
緩衝材２等を介して一対の内側壁８１間に浸入した雨水は、搭載壁６１の後面、内側壁８１の内面等を伝わり、後周壁６５の後下壁６５ｂの欠け部１１９から排出される（図中の「Ｆ」の経路である。）。なお、欠け部１１９の代わりに、後下壁６５ｂを貫通する貫通孔を利用することもできる。
【００４９】
８．照射特性
照明装置１の光の出射経路について図１３を用いて説明する。なお、図１３では照明装置全体でなく、ＬＥＤ１２１とカバー体９とを示している。ＬＥＤ１２１から発せられた光は照明装置から出射される。出射される方向は矢印Ｈで示す前方と矢印Ｉで示す後方である。
【００５０】
（１）前方
ＬＥＤ１２１から矩形状領域２０７に向けて発せられた光は、矢印Ｈ１に示すように、後面２０７ｂに入射する。後面２０７ｂに入射した光のうち、入射の際に屈折して矩形状領域２０７の前面２０７ａに向かう光がそのまま前方へと出射される。
ＬＥＤ１２１から筒状部２０３に向けて発せられた光の一部は、矢印Ｈ２に示すように、筒状部２０３の内面２０３ａにより反射して矩形状領域２０７に入射する。後面２０７ｂに入射した光のうち、入射の際に屈折して矩形状領域２０７の前面２０１ａに向かう光が前方へと出射される。
ＬＥＤ１２１から筒状部２０３に向けて発せられた光の一部は、矢印Ｈ３に示すように、筒状部２０３の内面２０３ａから入射して筒状部２０３内を反射しながら矩形状領域２０７に導かれ、前面２０７ａから前方へと出射される。
【００５１】
（２）後方
ＬＥＤ１２１から矩形状領域２０７に向けて発せられて後面２０７ｂから入射した光のうち、入射の際に屈折して環状領域２０９に向かう光は、矢印Ｉ１で示すように、環状領域２０９の凹凸を有する前面２０９ａで反射して後面２０９ｂから後方へと出射される。
ＬＥＤ１２１から筒状部２０３に向けて発せられた光の一部は、矢印Ｉ２に示すように、筒状部２０３の内面２０３ａから入射して筒状部２０３内を反射しながら環状領域２０９に導かれ、後面２０９ｂから後方へと出射される。
このように、前方から見たときに筒状部２０３よりも大きな板状部２０１を有することで、後方へも光を出射させることができる。
【００５２】
＜変形例＞
１．照明装置
実施形態の照明装置１はカバー体９を覆う化粧カバーを備えていなかったが、化粧カバーを備えてもよい。化粧カバーは、例えばカバー体９の板状部２０１を覆う板状をするとともに所定部位に開口等を有した所定のデザインを有する。なお、ＬＥＤユニット５からの光は開口から前方へと出射される。
化粧カバーは、カバー体９の板状部２０１の後面に係止する係止具を有し、カバー体９に対して着脱自在に装着される。
実施形態の照明装置１が取り付けられる被取付面は垂直面（設計上）であったが、被取付面は垂直面に対して傾斜する面であってもよい。
【００５３】
２．装置本体
実施形態ではＬＥＤユニット５は、上下方向に配されたＬＥＤ群を左右方向に２列有していたが、装置に要求される光束に合わせて１列であってもよいし、３列以上あってもよい。また、複数個のＬＥＤを千鳥状に配置してもよい。
実施形態ではセンサーユニット５７を有していたが、使用目的によっては有していなくてもよい。また、センサーは、照度センサだけであってもよいし、逆に人感センサだけであってもよい。
実施形態の搭載壁６１は被取付面と略平行に設けられていたが、搭載壁の搭載部は被取付面と平行でなくてもよい。例えば、下方を照らす場合に、上下方向を下方に移るに従って被取付面に近づくように傾斜してもよい。
【００５４】
３．カバー体
（１）形状
実施形態では、筒状部２０３を前方から見た外周縁形状と、板状部２０１を前方から見た外周縁形状とが共に上下方向に長い矩形状をしているが、他の形状であってもよい。例えば、前方から見た形状が、左右方向に長い矩形状や楕円形状であってもよいし、上下方向に長い楕円形状であってもよいし、正方形状、円形状、楕円形状、菱形形状であってもよい。
また、前方から見た筒状部の外周縁形状が矩形状で、板状部の外周縁形状が楕円形状であってもよく、筒状部の外周縁形状と板状部の外周縁形状とが同じような形状をしていなくてもよい。
（２）板状部の凹凸
実施形態の環状領域２０９の前面２０９ａの凹凸は外周縁形状に沿って延伸しているが、凹凸は、例えば環状領域の全領域に上下方向又は左右方向にのみ延伸してもよい。また、凹凸が上下方向へ延伸する領域と凹凸が左右方向に延伸する領域とを環状の周方向に沿って交互に有するようにしてもよい。
【００５５】
４．第１部及び第２部
実施形態の取付体３の上部の鉛直片２３が本発明の取付側第１部の一例に相当し、取付体３の下部の取付側傾斜部３７が本発明の取付側第２部の一例に相当し、装置本体７の後上壁６５ａが本発明の本体側第１部の一例に相当し、装置本体７の下部の本体側傾斜部１５３が本発明の本体側第２部の一例に相当している。
しかしながら、本発明の取付側第１部及び取付側第２部並びに本体側第１部及び本体側第２部は、実施形態での上下と反対であってよい。この場合、固定具は装置本体の後下壁と取付体とを固定する。
実施形態の取付側傾斜部３７や本体側傾斜部１５３はそれぞれ１個であったが、複数個であってもよい。
実施形態の鉛直片２３は搭載壁に対して直交しているが、固定体４が固定できる範囲内において傾斜していてもよい。
【符号の説明】
【００５６】
１    照明装置
２    緩衝材
３    取付体
４    固定体
５    ＬＥＤユニット
７    装置本体
９    カバー体
２１    ベース部
２３    鉛直片（取付側第１部）
３５    傾斜面
３７    取付側傾斜部（取付側第２部）
６５    後周壁（本体側第１部）
１５１    傾斜面
１５３    本体側傾斜部（本体側第２部）
【図１】
0006604776.tif 000002
【図２】
0006604776.tif 000003
【図３】
0006604776.tif 000004
【図４】
0006604776.tif 000005
【図５】
0006604776.tif 000006
【図６】
0006604776.tif 000007
【図７】
0006604776.tif 000008
【図８】
0006604776.tif 000009
【図９】
0006604776.tif 000010
【図１０】
0006604776.tif 000011
【図１１】
0006604776.tif 000012
【図１２】
0006604776.tif 000013
【図１３】
0006604776.tif 000014